(57)【要約】【課題】薄い原稿であってもカブリが生じることなく読取ることができる画像読取装置を提供する。【解決手段】画像読取装置は、光学系に対して原稿ｄ２を相対的に移動させることで原稿を読取る。画像読取装置は、原稿の読取る面の側から、原稿に対して光を照射する光源１６２と、原稿の読取る面とは逆の面から、原稿に対して光を照射する補助光源２０４とを備える。坪量の小さい薄い原稿を読取る場合に、光源１６２からの光が原稿ｄ１を透過することで原稿からの反射光量が減少した分を、補助光源２０４からの光が補う。これにより、カブリの発生を防止することが可能になる。【選択図】図２
2010093330.tif 000002
【特許請求の範囲】
【請求項１】
光学系に対して原稿を相対的に移動させることで原稿を読取る画像読取装置であって、
前記原稿の読取る面の側から、前記原稿に対して光を照射する光源と、
前記原稿の読取る面とは逆の面から、前記原稿に対して光を照射する補助光源とを備えた、画像読取装置。
【請求項２】
前記光学系は、スリット露光用ガラスの下方で停止した状態で読取りを行なう光学系であり、
前記原稿を前記スリット露光用ガラス上で移動させる原稿搬送手段をさらに備えた、請求項１に記載の画像読取装置。
【請求項３】
前記光源および補助光源を、原稿読取り時に点灯させる、請求項１または２に記載の画像読取装置。
【請求項４】
前記原稿の厚さを検出するセンサと、
前記センサの検出結果に応じて、前記補助光源の点灯制御を行なう制御手段とをさらに備えた、請求項１から３のいずれかに記載の画像読取装置。
【請求項５】
前記光学系とは、前記原稿を介して向い合う位置に設けられる原稿案内部材をさらに備え、
前記補助光源は、前記原稿案内部材内に設けられる、請求項１から４のいずれかに記載の画像読取装置。
【請求項６】
前記光学系の清掃機構をさらに備え、
前記補助光源は、前記清掃機構を構成する部材内に設けられる、請求項１から４のいずれかに記載の画像読取装置。
【請求項７】
前記光学系の清掃機構をさらに備え、
前記補助光源は、前記清掃機構の清掃部材の通過経路上に設けられる、請求項１から４のいずれかに記載の画像読取装置。
【発明の詳細な説明】
【技術分野】
【０００１】
この発明は画像読取装置に関し、特に、光学系に対して原稿を相対的に移動させることで原稿を読取る画像読取装置に関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機など）には、紙の文書から画像を読取るイメージスキャナ（画像読取装置の一例）が備えられている。
【０００３】
また従来より、画像読取装置として、原稿をローラ等で搬送し、原稿が読取ガラスを通過しているときに画像を読取るシートスルー方式の装置がある。このような装置の原稿搬送に用いられる自動原稿送り装置は、「ＡＤＦ」とも呼ばれる。ＡＤＦを利用することにより、複数枚の原稿を高速で読取ることが可能である。
【０００４】
自動原稿送り装置を用いた画像読取装置では、スリット露光用ガラス（読取ガラス）の下方で停止した光学系により、スリット露光用ガラス上を移動する原稿が読取られる。このような読取り方式を、原稿移動読取り方式（シートスルー方式）と呼ぶ。
【０００５】
通常、画像読取装置では、原稿台ガラス上の原稿を読取る時に露光ユニットが使用される。原稿移動読取り方式を採用する従来の画像読取装置では、露光ユニット上に設けられた光源を利用して読取りが行われていた。
【０００６】
図１２は、従来の自動原稿送り装置の原稿読取り時の読取り部、スリット露光用ガラス１２、および光学系を示す拡大断面図である。図１に、自動原稿送り装置が搭載された画像形成装置の全体構成が示されている。
【０００７】
画像読取装置１０の露光ユニット１６は、走行体１６０、第１ミラー１６１、光源１６２、および反射鏡１６３等から構成される。Ｖミラーユニット１７は、走行体１７０、第２ミラー１７１、および第３ミラー１７２から構成される。
【０００８】
光源１６２により照明された原稿ｄ２からの反射光は、露光ユニット１６、Ｖミラーユニット１７、および結像レンズ１８（図１）を経て、撮像素子としてのＣＣＤイメージセンサ１９（図１）に入射される。ＣＣＤイメージセンサ１９により光電変換されたアナログ信号は、画像処理部２（図１）において、アナログ処理、およびＡ／Ｄ変換され、画像書き込み部３（図１）にその信号が送られる。
【０００９】
自動原稿送り装置２０は、上流側読取りローラ対２０１にて原稿ｄ２をスリット露光用ガラス１２の上面に導き、原稿ｄ２はすくい上げガイド２０３にて上方へ導かれ、下流側読取りローラ対２０２にて排紙ローラ２７（図１）へと搬送される。これにより、読取り中の原稿ｄ２は、スリット露光用ガラス１２の上を滑るように搬送される。原稿案内部材（通紙ガイド）２６は、スリット露光用ガラス１２との間で原稿ｄ２の位置をガイドする。
【００１０】
原稿ｄ２の搬送を容易にするために、原稿案内部材２６とスリット露光用ガラス１２との間は、一定の距離が置かれる。原稿ｄ２はスリット露光用ガラス１２に押付けられるため、原稿ｄ２と原稿案内部材２６との間には距離ができる。
【００１１】
ここで、原稿ｄ２の厚みが異なる場合の読取り画像データの違いについて説明する。
【００１２】
図１３は、坪量が大きい厚い原稿を読み込んだ場合の原稿からの反射光を示す図である。
【００１３】
図を参照して、光源１６２から照射された光は、スリット露光用ガラス１２を通して原稿ｄ２に直接導かれる光と、光源１６２から照射され、反射鏡１６３に反射されて原稿ｄ２に導かれる光になる。これら光の和が原稿ｄ２を照らす光として有効となる。
【００１４】
厚みのある原稿の場合は、ほぼ全ての光量が原稿ｄ２で反射され、第１ミラー１６１へと導かれる。
【００１５】
図１４は、坪量が小さい薄い原稿を読み込んだ場合の原稿からの反射光を示す図である。
【００１６】
図を参照して、光源１６２から照射された光は、スリット露光用ガラス１２を通して原稿ｄ２に導かれる光と、光源１６２から照射され、反射鏡１６３に反射されて原稿ｄ２に導かれる光になる。これら光の和が原稿ｄ２を照らす光として有効となる。
【００１７】
薄い原稿の場合は、照らされた光が原稿ｄ２を若干透過し、原稿案内部材２６に到達する。原稿案内部材２６は白色になっており、原稿案内部材２６に当たった光は反射され、原稿ｄ２の裏面から再び照射される（この反射光を点線の矢印で示す）。また、原稿ｄ２を透過せず原稿で反射された光は、厚い原稿と同様に、第１ミラー１６１へと導かれる。
【００１８】
しかし、原稿ｄ２を透過し原稿案内部材２６で反射された光は、原稿ｄ２で直接反射された光と比較すると光路長が長いため、減衰する。ここで、原稿の下地部分が白色だった場合にはその白のレベルが若干低下し、カブリ（読取り画像が薄黒くなっている状態）が発生することとなる。
【００１９】
図１５は、原稿の坪量に対する白下地部分の読取り階調を現したグラフである。
【００２０】
図のグラフにおいて横軸は読取られる原稿の坪量、縦軸は階調を示している。原稿の坪量が８０ｇ／ｍ２程度以上であれば、白下地は２５５階調として読取られるが、原稿の坪量が８０ｇ／ｍ２程度以下となると、原稿が薄くなるほどに白下地の階調が下がり、黒っぽくなってしまう。
【００２１】
坪量が小さくなると、照射光に対して透過する光量が急激に増え、読取り画像にカブリが発生するものである。
【００２２】
下記特許文献１は、両面原稿を読取るときに使用する２つの光源を、片面原稿を読取るときにも使用する両面原稿読取装置を開示する。
【００２３】
特許文献２は、反射原稿用光源、および透過原稿用光源の両方を持ち、原稿に応じてそれらを切り替える画像読取装置を開示する。
【特許文献１】特開２００２−９４７４３号公報
【特許文献２】特開平５−５５６５７号公報
【発明の開示】
【発明が解決しようとする課題】
【００２４】
以上のように、従来の原稿移動読取り方式を備えた画像読取装置には、以下の問題がある。
【００２５】
原稿を移動させる読込み方式の性質上、原稿読取り位置の背景板（原稿案内部材２６）を原稿に密着させる事ができない。この為、坪量の小さい薄い原稿を読み込んだ場合に、原稿を照射した光が透過してしまい反射光が減少し、読み込んだ画像に下地カブリ（画像濃度が濃くなる現象）が発生する。
【００２６】
この発明はそのような問題点を解決するためになされたものであり、薄い原稿であってもカブリが生じることなく読取ることができる画像読取装置を提供することを目的としている。
【課題を解決するための手段】
【００２７】
上記目的を達成するためこの発明のある局面に従うと、光学系に対して原稿を相対的に移動させることで原稿を読取る画像読取装置は、原稿の読取る面の側から、原稿に対して光を照射する光源と、原稿の読取る面とは逆の面から、原稿に対して光を照射する補助光源とを備える。
【００２８】
好ましくは光学系は、スリット露光用ガラスの下方で停止した状態で読取りを行なう光学系であり、原稿をスリット露光用ガラス上で移動させる原稿搬送手段をさらに備える。
【００２９】
好ましくは画像読取装置は、光源および補助光源を、原稿読取り時に点灯させる。
【００３０】
好ましくは画像読取装置は、原稿の厚さを検出するセンサと、センサの検出結果に応じて、補助光源の点灯制御を行なう制御手段とをさらに備える。
【００３１】
好ましくは画像読取装置は、光学系とは、原稿を介して向い合う位置に設けられる原稿案内部材をさらに備え、補助光源は、原稿案内部材内に設けられる。
【００３２】
好ましくは画像読取装置は、光学系の清掃機構をさらに備え、補助光源は、清掃機構を構成する部材内に設けられる。
【００３３】
好ましくは画像読取装置は、光学系の清掃機構をさらに備え、補助光源は、清掃機構の清掃部材の通過経路上に設けられる。
【発明の効果】
【００３４】
これらの発明に従うと、薄い原稿であってもカブリが生じることなく読取ることができる画像読取装置を提供することが可能となる。
【発明を実施するための最良の形態】
【００３５】
［第１の実施の形態］
【００３６】
以下、本発明の第１の実施の形態における画像読取装置、および画像読取装置を備えた画像形成装置を、図面に基づいて説明する。
【００３７】
シートスルー方式のＡＤＦは、手置き原稿の読取時のように原稿マットで原稿を直接押さえる方式をとっていない。このため、薄紙などの透ける原稿を読取った場合にはカブリが発生するという問題があった。本実施の形態では、以下に説明する構成により、薄紙原稿などの透ける原稿を読取った場合でも、カブリの発生しない画像読取装置を提供することが可能となっている。
【００３８】
すなわち、シートスルー方式のＡＤＦ読取り装置において、原稿裏面から光を照射する補助光源を設けることで、薄紙の読取時においても下地カブリの発生を防ぐものである。
【００３９】
図１は、画像読取装置（スキャナ）１０と、自動原稿送り装置２０とを装備した画像形成装置の全体構成図である。
【００４０】
画像形成装置本体Ａは、画像形成部１、画像処理部２、画像書き込み部３、高圧電源部４、給紙搬送部５、定着部６、排紙部７、および自動両面コピーのための再搬送部（ＡＤＵ）８を備えている。画像形成装置本体Ａの図示の左上部の排紙部７側には、排紙トレイ７Ｃ、または図示しない用紙後処理装置が連結可能である。
【００４１】
自動原稿送り装置２０の原稿給紙台２１上において、第１面を上向きにして載置された原稿ｄ２は、給紙ローラ２２、および分離ローラ２３により送り出されて、レジストローラ２４を経て搬送路２５を通過する。その後、原稿案内部材２６とスリット露光用ガラス１２の上面とが対向する位置において、画像読取装置１０の光学系により原稿ｄ２の片面又は両面の画像が読取られる。読取り処理後の原稿ｄ２は、排紙ローラ２７により排出され、排紙皿２８上に載置される。
【００４２】
自動原稿送り装置２０は、片面原稿読取り機能と両面原稿読取り機能とを有する。
【００４３】
原稿読取装置１０の光学系は、光源と第１ミラー１６１を備える露光ユニット１６、第２ミラー１７１と第３ミラー１７２とから構成されるＶミラーユニット１７、結像レンズ１８、およびＣＣＤイメージセンサ１９により構成されている。
【００４４】
自動原稿送り装置２０による原稿読取りは、露光ユニット１６がスリット露光用ガラス１２の下方に停止した位置において行われる。原稿読取りは、停止している露光ユニット１６上を原稿ｄ２が通過するときに行われる。
【００４５】
原稿台ガラス１１上に載置された原稿ｄ１の読取りは、露光ユニット１６、およびＶミラーユニット１７を移動させながら原稿ｄ１を走査露光することにより行なわれる。
【００４６】
ＣＣＤイメージセンサ１９により光電変換されたアナログ信号に対しては、画像処理部２において、アナログ処理、Ａ／Ｄ変換、シェーディング補正、および画像圧縮処理等を行った後、その信号は画像書き込み部３に送られる。
【００４７】
画像書き込み部３においては、半導体レーザからの出力光が画像形成部１の像担持体１Ａに照射され、潜像を形成する。画像形成部１においては、帯電、露光、現像、転写、分離、およびクリーニング等の処理が行われ、給紙搬送部５の給紙カセット５Ａから給紙された用紙Ｓに、画像が転写される。画像を担持した用紙Ｓは、定着部６により定着され、排紙部７から排紙トレイ７Ｃに排出される。または、排紙路切り替え板７Ａにより再搬送部８に送り込まれた片面画像処理済みの用紙Ｓは、再び画像形成部１において両面画像処理された後、排紙部７の排紙ローラ７Ｂにより排紙トレイ７Ｃに排出される。
【００４８】
図２は、図１の画像読取装置（スキャナ）１０の読取り部の詳細を示す図である。
【００４９】
画像読取装置１０の露光ユニット１６は、走行体１６０、第１ミラー１６１、光源１６２、および反射鏡１６３等から構成される。Ｖミラーユニット１７は、走行体１７０、第２ミラー１７１、および第３ミラー１７２から構成される。
【００５０】
光源１６２により照明された原稿ｄ２からの反射光は、露光ユニット１６、Ｖミラーユニット１７、および結像レンズ１８（図１）を経て、撮像素子としてのＣＣＤイメージセンサ１９（図１）に入射される。ＣＣＤイメージセンサ１９により光電変換されたアナログ信号は、画像処理部２（図１）において、アナログ処理、およびＡ／Ｄ変換され、画像書き込み部３（図１）にその信号が送られる。
【００５１】
自動原稿送り装置２０は、上流側読取りローラ対２０１にて原稿ｄ２をスリット露光用ガラス１２の上面に導き、原稿ｄ２はすくい上げガイド２０３にて上方へ導かれ、下流側読取りローラ対２０２にて排紙ローラ２７（図１）へと搬送される。これにより、読取り中の原稿ｄ２は、スリット露光用ガラス１２の上を滑るように搬送される。原稿案内部材２６は、スリット露光用ガラス１２との間で原稿ｄ２の位置をガイドする。
【００５２】
原稿ｄ２の搬送を容易にするために、原稿案内部材２６とスリット露光用ガラス１２との間は、一定の距離が置かれる。原稿ｄ２はスリット露光用ガラス１２に押付けられるため、原稿ｄ２と原稿案内部材２６との間には距離ができる。
【００５３】
図を参照して、光源１６２から照射された光には、スリット露光用ガラス１２を通して原稿ｄ２に導かれる光と、光源１６２から照射され、反射鏡１６３に反射されて原稿ｄ２に導かれる光とがある。それら光の和が、原稿ｄ２を照らす光として有効となる。
【００５４】
薄い原稿の場合には、照らされた光が原稿ｄ２を若干透過し、原稿案内部材２６に到達する。原稿案内部材２６は白色になっており、原稿案内部材２６に当たった光は反射され、原稿ｄ２の裏面から再び照射される（この再び照射される光を点線の矢印で示す）。また、原稿ｄ２を透過せず原稿で反射された光は、厚い原稿と同様に、第１ミラー１６１へと導かれる。
【００５５】
本実施の形態では、補助光源２０４が原稿ｄ２の読取面とは反対側に設けられている。すなわち補助光源２０４は、原稿案内部材２６の近くであって、スリット露光用ガラス１２とは原稿ｄ２を介して対向する位置に設けられる。
【００５６】
補助光源２０４からも原稿読取り部に向けて光が照射される。よって、最終的には光源１６２、反射鏡１６３、および補助光源２０４からの光が有効な光となる。
【００５７】
すなわち本実施の形態における画像読取装置では、坪量の小さい薄い原稿を使用した場合でも、原稿案内部材２６からの反射光量が減少した分を、補助光源２０４からの光が補い、カブリの発生を防止することが可能になる。
【００５８】
逆に、本実施の形態の画像読取装置において坪量の大きい厚い原稿を読取った場合には、光源１６２からの光が原稿を透過する量が減少して、第１ミラー１６１へと導かれる原稿ｄ２からの反射光量が増加する。このとき、補助光源２０４からの光も原稿ｄ２を透過しなくなる（透過しにくくなる）ため、光量が増えすぎるという事はない。
【００５９】
図３は、原稿案内部材２６と補助光源２０４との平面図である。
【００６０】
図を参照して、矢印が原稿の搬送方向である。補助光源２０４としては、原稿の裏面全面を均一に照射するために、複数の補助光源２０４ａ〜２０４ｆが設けられている。補助光源２０４ａ〜２０４ｆとしては、白色ＬＥＤ、有機ＥＬなどを用いることができる。
【００６１】
［第２の実施の形態］
【００６２】
以下、本発明の第２の実施の形態における画像読取装置、および画像読取装置を備えた画像形成装置について、それが第１の実施の形態と異なる部分を説明する。
【００６３】
坪量の大きい厚い原稿を読取るとき、補助光源２０４の光は無効になるため、それを点灯させることは効率的ではない。そこで本実施の形態では、原稿の厚みを検出するセンサＳＥ（図２参照）を設け、厚紙原稿を読取る時には補助光源２０４を消灯し、薄紙原稿を読取る時には補助光源２０４を点灯する制御を行なう。これにより、省エネに寄与することができる。
【００６４】
図４は、第２の実施の形態における画像読取装置の制御回路のブロック図である。
【００６５】
図を参照して、原稿厚み検出センサＳＥは、次に読取る原稿の厚さを検出する。検出値は、制御部（ＣＰＵ）３０１に入力され、補助光源２０４を点灯させるか否かが決定される。
【００６６】
また、制御部３０１によって、光源１６２の点灯のタイミングが制御される。さらに制御部３０１は、原稿送り制御部３０３を制御し、これにより各種ローラが駆動される。
【００６７】
図５は、第２の実施の形態における画像読取装置の実行する処理を示すフローチャートである。
【００６８】
ステップＳ１０１において、原稿厚み検出センサＳＥにより、次に読取りを行なう原稿の厚みを検出する。それが所定厚さ以上の厚紙であると判定されると（Ｓ１０３でＹＥＳ）、ステップＳ１０５で、その原稿の読取中に、光源１６２は点灯状態となるが、補助光源２０４は消灯状態となる。ステップＳ１０３での判定のしきい値は、例えば図１５に従うと、原稿坪量８０ｇ／ｍ２以上の紙が搬送されてきたときに、厚紙と判断するものである。
【００６９】
搬送される原稿が厚紙でない薄紙であれば（Ｓ１０３でＮＯ）、ステップＳ１０７で、その原稿の読取中に、光源１６２および補助光源２０４は、点灯状態となる。
【００７０】
［第３の実施の形態］
【００７１】
以下、本発明の第３の実施の形態における画像読取装置、および画像読取装置を備えた画像形成装置について、それが第１の実施の形態と異なる部分を説明する。
【００７２】
図６は、第３の実施の形態における画像読取装置の読取り部の詳細を示す図である。
【００７３】
本実施の形態では、原稿案内部材２６の内部に補助光源２０５が設けられる。原稿案内部材２６に穴を開けることで、そこから補助光源２０５の光が原稿ｄ２の裏面に当たるようにしてもよいし、原稿案内部材２６に窓を設けることで、そこから補助光源２０５の光が原稿ｄ２の裏面に当たるようにしてもよい。原稿案内部材２６を乳白色などの光を透過する部材で構成することで、補助光源２０５の光が原稿案内部材２６を介して原稿ｄ２の裏面に当たるようにしてもよい。また、原稿案内部材２６自体を発光させ、原稿案内部材２６自体を補助光源２０５としてもよい。
【００７４】
これにより、読取り部の省スペース化を図ることが可能になると共に、補助光源２０５が読取り位置に近いため、その光量を削減することも可能となる。
【００７５】
［第４の実施の形態］
【００７６】
以下、本発明の第４の実施の形態における画像読取装置、および画像読取装置を備えた画像形成装置について、それが第１の実施の形態と異なる部分を説明する。
【００７７】
図７は、第４の実施の形態における画像読取装置の読取り部の詳細を示す図であり、図８は、スリット露光用ガラス１２の清掃機構（清掃部材）の拡大図である。
【００７８】
本実施の形態では画像読取装置の読取り部は、スリット露光用ガラス１２の清掃機構を備えている。すなわち、第１〜第３の実施の形態における原稿案内部材２６の位置に、原稿案内部材２６に代えて清掃部材３０が設置されている。
【００７９】
清掃部材３０は、スリット露光用ガラス１２を清掃するためのブラシ部３０２と、読取り中に原稿を案内しながら原稿の透過光を反射する白色ガイド部３０１とからなる。
【００８０】
清掃時には清掃部材３０が回転することで、ブラシ部３０２がスリット露光用ガラス１２上のごみを清掃する。
【００８１】
光源１６２から照射された光には、スリット露光用ガラス１２を通して原稿ｄ２に導かれる光と、光源１６２から照射され、反射鏡１６３に反射されて原稿ｄ２に導かれる光とがある。それら光の和が、原稿ｄ２を照らす光として有効となる。
【００８２】
薄い原稿の場合は、照らされた光が原稿ｄ２を若干透過し、白色ガイド部３０１に到達する。白色ガイド部３０１は白色のため、当たった光は反射され、原稿ｄ２の裏面から再び照射される。また、原稿ｄ２を透過せず原稿で反射された光は、第１ミラー１６１へと導かれる。
【００８３】
ここで、第１〜第３の実施の形態における原稿案内部材２６と白色ガイド部３０１とを比較すると、原稿案内部材２６はその原稿裏面に向い合う面が平面であるのに対し、白色ガイド部３０１は円弧形状をしている。このため白色ガイド部３０１においては、反射される光量が減少する。
【００８４】
図９は、反射面の幅に対する読取り階調の特性を表す図であり、図１０は、反射面の距離に対する読取り階調の特性を表す図である。
【００８５】
図９に示されるように、（原稿案内部材２６または白色ガイド部３０１の）光の反射面の幅が広ければ、十分な光が反射されるため、原稿白色部を読取ったときの画像の階調は白に近くなる。反射面の幅が狭くなるごとに、光の反射が弱くなるために、原稿白色部を読取ったときの画像の階調は黒っぽくなる（カブリが生じる）。
【００８６】
また図１０に示されるように、（光源から原稿案内部材２６または白色ガイド部３０１までの）距離が短ければ、十分な光が反射されるため、原稿白色部を読取ったときの画像の階調は白に近くなる。距離が遠くなるごとに、反射面に届く光が弱くなるために、原稿白色部を読取ったときの画像の階調は黒っぽくなる（カブリが生じる）。
【００８７】
すなわち、反射面が狭いほど、また反射面が遠いほど、反射光量は減少する。白色ガイド部３０１の底部のようにその形状が円弧であれば、最下部の位置が原稿案内部材２６の位置と同じであっても、周辺に行くに従い光源からの距離が離れてしまう。また白色ガイド部３０１の読取位置の周辺においては、読取り部に対する角度が外側に向くため、反射光が横方向へ逃げてしまう。これにより、白色ガイド部３０１の周囲ではカブリが生じやすい。
【００８８】
本実施の形態では、原稿ｄ２の裏面側であって白色ガイド部３０１の中に、補助光源３０３が設けられており、補助光源３０３からも原稿読取り部に向けて光が照射される。白色ガイド部３０１は半透明になっており、補助光源３０３からの光を透過する。よって、最終的には光源１６２、及び反射鏡１６３、そして補助光源３０３からの光が有効となる。
【００８９】
これにより、本実施の形態の画像読取装置では、坪量の小さい薄い原稿を使用した場合でも、白色ガイド部３０１からの反射光量が減少した分を、補助光源３０３からの光が補うことで、カブリの発生を防止することが可能になる。
【００９０】
また本実施の形態では、清掃部材３０の内部に光源３０３を設置したので、省スペースかつ高効率な補助照明が実現できる。
【００９１】
［第５の実施の形態］
【００９２】
以下、本発明の第５の実施の形態における画像読取装置、および画像読取装置を備えた画像形成装置について、それが第１の実施の形態と異なる部分を説明する。
【００９３】
図１１は、第５の実施の形態における画像読取装置の読取り部の詳細を示す図である。
【００９４】
本実施の形態では画像読取装置の読取り部は、スリット露光用ガラス１２の清掃機構を備えている。すなわち、第１〜第３の実施の形態における原稿案内部材２６の位置に、原稿案内部材２６に代えて清掃部材３０が設置されている。
【００９５】
清掃部材３０は、スリット露光用ガラス１２を清掃するためのブラシ部３０２と、読取り中に原稿を案内しながら原稿の透過光を反射する白色ガイド部３０１とを備えている。
【００９６】
清掃時には清掃部材３０が回転することで、ブラシ部３０２がスリット露光用ガラス１２上のごみを清掃する。
【００９７】
光源１６２から照射された光には、スリット露光用ガラス１２を通して原稿ｄ２に導かれる光と、光源１６２から照射され、反射鏡１６３に反射されて原稿ｄ２に導かれる光とがある。それら光の和が原稿ｄ２を照らす光として有効となる。
【００９８】
薄い原稿の場合は、照らされた光が原稿ｄ２を若干透過し、白色ガイド部３０１に到達する。白色ガイド部３０１は白色のため、当たった光は反射され、原稿ｄ２の裏面から再び照射される。また、原稿ｄ２を透過せず原稿で反射された光は、第１ミラー１６１へと導かれる。
【００９９】
本実施の形態では、原稿ｄ２の裏面の位置であって白色ガイド部３０１の近傍に、補助光源３０４が設けられており、この補助光源３０４からも原稿読取り部に向けて光が照射される。よって、最終的には光源１６２、及び反射鏡１６３、そして補助光源３０４からの光が有効となる。
【０１００】
これにより、本実施の形態の画像読取装置では、坪量の小さい薄い原稿を使用した場合でも、白色ガイド部３０１からの反射光量が減少した分を補助光源３０４からの光が補い、カブリの発生を防止することが可能になる。
【０１０１】
更に、本実施の形態の実施の形態では、ブラシ部３０２の移動軌跡（通過軌跡）が補助光源３０４を清掃する位置に配置されている。これにより、紙粉等の汚れが補助光源３０４に付いた場合にもそれを清掃することができ、経時変化による補助光源３０４の効果低下を防止することができる。
【０１０２】
［実施の形態における効果］
【０１０３】
以上のように、本実施の形態における画像読取装置１０は、原稿ｄ２の反読取り側（読取面とは逆側）にも光源を設けている。そして、原稿読取り時にそれを点灯させるものである。本実施の形態の構成によると、坪量の小さい薄い原稿ｄ２を読み込んだ場合でも、下地カブリの発生しない画像読取りが可能になる。
【０１０４】
また、省スペースで効率的なカブリ防止機能を提供できる。
【０１０５】
［その他］
【０１０６】
なお上記実施の形態では、原稿からの反射光を読取るための原稿用光源に対して、専用の補助光源を備えることとしたが、原稿を透過光で読取るための光源を補助光源としてもよい。
【０１０７】
画像読取装置は、モノクロ／カラーの複写機、プリンタ、ファクシミリ装置やこれらの複合機（ＭＦＰ）などの画像形成装置に設けられてもよい。
【０１０８】
上述の実施の形態における処理は、ソフトウエアによって行なっても、ハードウエア回路を用いて行なってもよい。
【０１０９】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１１０】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１１】
【図１】画像読取装置（スキャナ）１０と、自動原稿送り装置２０とを装備した画像形成装置の全体構成図である。
【図２】図１の画像読取装置（スキャナ）１０の読取り部の詳細を示す図である。
【図３】原稿案内部材２６と補助光源２０４との平面図である。
【図４】第２の実施の形態における画像読取装置の制御回路のブロック図である。
【図５】第２の実施の形態における画像読取装置の実行する処理を示すフローチャートである。
【図６】第３の実施の形態における画像読取装置の読取り部の詳細を示す図である。
【図７】第４の実施の形態における画像読取装置の読取り部の詳細を示す図である。
【図８】スリット露光用ガラス１２の清掃機構（清掃部材）の拡大図である。
【図９】反射面の幅に対する読取り階調の特性を表す図である。
【図１０】反射面の距離に対する読取り階調の特性を表す図である。
【図１１】第５の実施の形態における画像読取装置の読取り部の詳細を示す図である。
【図１２】従来の自動原稿送り装置の原稿読取り時の読取り部、スリット露光用ガラス１２、および光学系を示す拡大断面図である。
【図１３】坪量が大きい厚い原稿を読み込んだ場合の原稿からの反射光を示す図である。
【図１４】坪量が小さい薄い原稿を読み込んだ場合の原稿からの反射光を示す図である。
【図１５】原稿の坪量に対する白下地部分の読取り階調を現したグラフである。
【符号の説明】
【０１１２】
２  画像処理部
１０  画像読取装置（スキャナ）
１２  スリット露光用ガラス
１６  露光ユニット
１７  Ｖミラーユニット
１８  結像レンズ
１９  ＣＣＤイメージセンサ
２０  自動原稿送り装置
２６  原稿案内部材
２７  排紙ローラ
３０  清掃部材
１６０  走行体
１６１  第１ミラー
１６２  光源
１６３  反射鏡
１７０  走行体
１７１  第２ミラー
１７２  第３ミラー
２０１  上流側読取りローラ対
２０２  下流側読取りローラ対
２０３  すくい上げガイド
２０４，２０５，３０３，３０４  補助光源
３０１  白色ガイド部
３０２  ブラシ部
ｄ１  原稿
【図１】
2010093330.tif 000003
【図２】
2010093330.tif 000004
【図３】
2010093330.tif 000005
【図４】
2010093330.tif 000006
【図５】
2010093330.tif 000007
【図６】
2010093330.tif 000008
【図７】
2010093330.tif 000009
【図８】
2010093330.tif 000010
【図９】
2010093330.tif 000011
【図１０】
2010093330.tif 000012
【図１１】
2010093330.tif 000013
【図１２】
2010093330.tif 000014
【図１３】
2010093330.tif 000015
【図１４】
2010093330.tif 000016
【図１５】
2010093330.tif 000017